(57)【要約】【課題】  溶接ワイヤの送給不良を確実に防止すると共に、シールドガスの無駄な漏出を防ぐ。【解決手段】  コンジットチューブ８内を流れるシールドガスＧ8によって、コンジットチューブの壁面から溶接ワイヤ７を浮かし、コンジットチューブ８と溶接ワイヤ７との干渉を軽減させ、溶接ワイヤ７からメッキが脱落することを防ぐ。また、溶接ワイヤ７から脱落したメッキについても、常時、コンジットチューブ８から溶接トーチ５を介して外部へと排出し、メッキの詰りを回避する。さらに、回収管19によって、コンジットチューブ８から溶接ワイヤ７の供給源側へと漏出する分のシールドガスＧ19を回収し、主管アダプタ20によって、コンジットチューブ８から回収した漏出分のシールドガスＧ19を主管14に戻し、溶接トーチ５へと無駄なく供給する。  【選択図】      図２
2005186087.tif 000002
【特許請求の範囲】
【請求項１】
ガスシールド消耗電極式アーク溶接装置の溶接トーチへの溶接ワイヤ供給装置であって、
前記溶接トーチに対し直接的にシールドガスを送る主供給経路と、
溶接ワイヤの供給源から前記溶接トーチへと溶接ワイヤを供給するコンジットチューブを介し、前記溶接トーチにシールドガスを供給する副供給経路と、
当該副供給経路に供給されるシールドガスのうち、前記コンジットチューブを介して溶接ワイヤの供給源側へと漏出する分のシールドガスを、前記主供給経路に戻すための回収経路とを備えることを特徴とする溶接ワイヤ供給装置。
【請求項２】
前記副供給経路は、前記主供給経路を構成する主管から分岐した分岐管と、当該分岐管を前記コンジットチューブへと連通させるコンジットチューブアダプタとを備え、
前記回収経路は、前記コンジットチューブアダプタから分岐する回収管と、当該回収管を前記主管へとつなぐ主管アダプタとを備えることを特徴とする請求項１記載の溶接ワイヤ供給装置。
【請求項３】
前記コンジットチューブアダプタは、コンジットチューブ内のシールドガスの流量調整オリフィスを備えることを特徴とする請求項２記載の溶接ワイヤ供給装置。
【請求項４】
前記主管アダプタは、主管内のシールドガスの流量調整オリフィスを備えることを特徴とする請求項２または３記載の溶接ワイヤ供給装置。
【請求項５】
前記主管アダプタは、前記流量調整オリフィスに生ずる負圧が前記回収管に作用する管路構造を有することを特徴とする請求項４記載の溶接ワイヤ供給装置。
【請求項６】
ガスシールド消耗電極式アーク溶接装置の溶接トーチへのシールドガス供給方法であって、
前記溶接トーチに対し、直接的にシールドガスを供給する供給経路を流れるシールドガスの一部を、溶接ワイヤの供給源から前記溶接トーチへと溶接ワイヤを供給するコンジットチューブに送り、当該コンジットチューブを介して、前記溶接トーチにシールドガスを供給すると共に、前記コンジットチューブから前記溶接ワイヤの供給源へと漏出する分のシールドガスを回収し、当該回収したシールドガスを前記主供給経路へと戻して、前記溶接トーチに供給することを特徴とするシールドガス供給方法。
【発明の詳細な説明】
【技術分野】
【０００１】
本発明は、ガスシールド消耗電極式アーク溶接装置の溶接トーチへの溶接ワイヤ供給装置と、当該溶接トーチへのシールドガス供給方法に関するものである。
【背景技術】
【０００２】
ガスシールドアーク溶接装置には、従来から、ＭＩＧ溶接やＭＡＧ溶接等に用いられるガスシールド消耗電極式アーク溶接装置や、ＴＩＧ溶接に用いられるガスシールド非消耗電極式アーク溶接装置等が用いられている。そして、前者の溶接装置については、溶接トーチに対し、溶接ワイヤを供給する溶接ワイヤ供給装置と、シールドガスを供給するシールドガス供給装置とを備えている。
図４には、従来のガスシールド消耗電極式アーク溶接装置１（以下、単に「溶接装置」ともいう。）を備える溶接ロボット２を、概略的に示している。溶接ロボット２の多関節アーム３の先端部には、ブラケット４を介して溶接装置１の溶接トーチ５を支持し、様々な姿勢での溶接作業を可能としている。溶接トーチ５には、溶接ワイヤの供給源６から溶接トーチ５へと溶接ワイヤ７を供給するための、コンジットチューブ８が接続され、かつ、コンジットチューブ８の中間部には、溶接ワイヤ７を溶接トーチ５へと繰出すための送給モータ９が設けられている。これらのコンジットチューブ８および送給モータ９に加え、送給モータ９の制御手段10を加えて、溶接ワイヤ供給装置11を構成している。
さらに、溶接トーチ５に対しシールドガスを送るためのガス供給管12が、溶接トーチ５に連結されている。なお、図中符号13で示す部分は、シールドガスの流れを制御する電磁弁である。
【０００３】
ところで、従来の溶接装置には次のような問題が指摘され、それを解決する為の発明がなされている。まず、溶接トーチ５は溶接ロボット２の多関節アーム３の動作によりその姿勢を自在に変化させることから、コンジットチューブ８が無理に折れ曲がって内部の溶接ワイヤ７の送給を阻害するおそれがある。そこで、コンジットチューブ８の外周を更に被覆チューブで覆い、被覆チューブ内にエアを充填することでコンジットチューブ８の曲がりを矯正する手法が発明されている（例えば、特許文献１参照。）。
また、溶接ワイヤ７の酸化を防止するために、コンジットチューブ８内を不活性ガスで満たす技術も発明されている（例えば、特許文献２参照。）。
さらに、溶接ワイヤ７がコンジットチューブ８の壁面と干渉し、溶接ワイヤ７の表面のメッキが剥がれてコンジットチューブ８内に蓄積して抵抗となり、溶接ワイヤ７の送給不良となるおそれがある。そこで、溶接装置１のメンテナンス時に、工場ラインのエア供給ラインのエアを更に高圧化してコンジットチューブ８内に引き込み、コンジットチューブ８内に蓄積したメッキを清掃する装置が発明されている（例えば、特許文献３参照。）。
【０００４】
【特許文献１】特開平１１−３３７２３号公報（〔０００７〕、図１、図３）
【特許文献２】特開平１０−２９０６２号公報（〔００２３〕、〔００２４〕、図１、図２）
【特許文献３】特開平７−１２４７４８号公報（〔０００９〕、図１）
【発明の開示】
【発明が解決しようとする課題】
【０００５】
しかしながら、上記従来の発明には、次のような問題が指摘されていた。まず、コンジットチューブ８の外周を更に被覆チューブで覆い、被覆チューブ内にエアを充填することでコンジットチューブ８の曲がりを矯正する手法は、シールドガスの供給手段とは別個に、コンジットチューブ８の曲がりを矯正するための被覆チューブや、シールドガスの供給手段とは独立したエアの供給手段を設ける必要があることから、装置の複雑化を避けることができないものであった。
また、溶接ワイヤ７の酸化を防止するために、コンジットチューブ８内を不活性ガスで満たす発明は、コンジットチューブ８の溶接ワイヤ供給源側端部から漏れ出す不活性ガスが無駄となり、不活性ガスのコスト上昇を来すものであった。
さらに、工場ラインのエア供給ラインのエアを更に高圧化してコンジットチューブ８内に引き込み、コンジットチューブ８内に蓄積したメッキを清掃する発明は、定期的なメンテナンス時期に至る以前で、コンジットチューブ８内にメッキが大量に蓄積したような場合には、溶接ワイヤ７の送給不良を避けることができないといった問題を抱えていた。
【０００６】
本発明は、上記課題に鑑みてなされたものであり、その目的とするところは、装置の構成の複雑化を招くことなく、コンジットチューブ内に溶接ワイヤから剥がれたメッキが蓄積することを防止して、溶接ワイヤの送給不良を確実に防止すると共に、シールドガスの無駄な漏出を防ぐことで、低コストかつ高品質の溶接が可能なガスシールド消耗電極式アーク溶接装置を提供することにある。
【課題を解決するための手段】
【０００７】
上記課題を解決するための、本発明の請求項１に係る溶接ワイヤ供給装置は、ガスシールド消耗電極式アーク溶接装置の溶接トーチへの溶接ワイヤ供給装置であって、前記溶接トーチに対し直接的にシールドガスを送る主供給経路と、溶接ワイヤの供給源から前記溶接トーチへと溶接ワイヤを供給するコンジットチューブを介し、前記溶接トーチにシールドガスを供給する副供給経路と、当該副供給経路に供給されるシールドガスのうち、前記コンジットチューブを介して溶接ワイヤの供給源側へと漏出する分のシールドガスを、前記主供給経路に戻すための回収経路とを備えることを特徴とするものである。
【０００８】
本発明によれば、前記主供給経路によって前記溶接トーチに対し直接的にシールドガスを供給すると共に、前記副供給経路によってコンジットチューブからも溶接トーチに対しシールドガスを供給する。そして、コンジットチューブの壁面から溶接ワイヤを浮かし、コンジットチューブと溶接ワイヤとの干渉を軽減させることで、溶接ワイヤからメッキが脱落することを防ぐことができる。
また、脱落したメッキについても、コンジットチューブ内を流れるシールドガスにより、常時、コンジットチューブから溶接トーチを介して外部へと排出することが可能であり、メッキの詰りを回避することができる。しかも、コンジットチューブを流れるガスは、元々、溶接トーチに供給されるシールドガスであり、上記作用を得るための独立したガス供給手段を必要とするものではない。
さらに、前記コンジットチューブ内を流れるシールドガスは、前記溶接トーチから吐出することによって溶接に供するものである。なおかつ、前記副供給経路に供給されるシールドガスのうち、前記コンジットチューブを介して溶接ワイヤの供給源側へと漏出する分のシールドガスも、前記回収経路によって前記主供給経路に戻し前記溶接トーチから吐出することで溶接に供することから、シールドガスの無駄を防ぐことができる。
【０００９】
また、本発明の請求項２に係る溶接ワイヤ供給装置は、請求項１記載の溶接ワイヤ供給装置において、前記副供給経路は、前記主供給経路を構成する主管から分岐した分岐管と、当該分岐管を前記コンジットチューブへと連通させるコンジットチューブアダプタとを備え、前記回収経路は、前記コンジットチューブアダプタから分岐する回収管と、当該回収管を前記主管へとつなぐ主管アダプタとを備えることを特徴とするものである。
本発明によれば、前記分岐管によって前記主管からシールドガスを分流し、前記コンジットチューブアダプタによって、主管から分流したシールドガスをコンジットチューブへと供給することが可能となる。また、前記コンジットチューブアダプタから分岐する回収管によって、前記コンジットチューブを介して溶接ワイヤの供給源側へと漏出する分のシールドガスを回収し、前記主管アダプタによって、コンジットチューブから回収した洩れ分のシールドガスを主管に戻し、溶接トーチへと無駄なく供給することが可能となる。
【００１０】
また、本発明の請求項３に係る溶接ワイヤ供給装置は、請求項２記載の溶接ワイヤ供給装置において、前記コンジットチューブアダプタは、コンジットチューブ内のシールドガスの流量調整オリフィスを備えるものである。
本発明によれば、前記コンジットチューブアダプタに設けた流量調整オリフィスによって、コンジットチューブへと分流させるシールドガスの流量を自在に調節することが可能となる。
【００１１】
また、本発明の請求項４に係る溶接ワイヤ供給装置は、請求項２または３記載の溶接ワイヤ供給装置において、前記主管アダプタは、主管内のシールドガスの流量調整オリフィスを備えるものである。
本発明によれば、前記主管アダプタに設けた流量調整オリフィスによって、前記主管を流れるシールドガスの流量を自在に調節することが可能となる。
【００１２】
また、本発明の請求項５に係る溶接ワイヤ供給装置は、請求項４記載の溶接ワイヤ供給装置において、前記主管アダプタは、前記流量調整オリフィスに生ずる負圧が前記回収管に作用する管路構造を有するものである。
本発明によれば、前記主管アダプタの管路構造によって、主管を流れるシールドガスの流れを利用し、コンジットチューブから回収した洩れ分のシールドガスを主管に戻すことが可能となる。
【００１３】
また、上記課題を解決するための、本発明の請求項６に係るシールドガス供給方法は、ガスシールド消耗電極式アーク溶接装置の溶接トーチへのシールドガス供給方法であって、  前記溶接トーチに対し、直接的にシールドガスを供給する供給経路を流れるシールドガスの一部を、溶接ワイヤの供給源から前記溶接トーチへと溶接ワイヤを供給するコンジットチューブに送り、当該コンジットチューブを介して、前記溶接トーチにシールドガスを供給すると共に、前記コンジットチューブから前記溶接ワイヤの供給源へと漏出する分のシールドガスを回収し、当該回収したシールドガスを前記主供給経路へと戻して、前記溶接トーチに供給することを特徴とするものである。
【００１４】
本発明によれば、溶接トーチに対し、直接的にシールドガスを供給する供給経路を流れるシールドガスの一部を、溶接ワイヤの供給源から前記溶接トーチへと溶接ワイヤを供給するコンジットチューブに送ることにより、コンジットチューブの壁面から溶接ワイヤを浮かし、コンジットチューブと溶接ワイヤとの干渉を軽減させる。よって、溶接ワイヤからメッキが脱落することを防ぐことが可能となる。
また、コンジットチューブ内に脱落したメッキについても、コンジットチューブ内を流れるシールドガスにより、常時、コンジットチューブから溶接トーチを介して外部へと排出することが可能であり、メッキの詰りを回避することができる。しかも、コンジットチューブ内に流すガスは、元々、溶接トーチに供給されるシールドガスであり、上記作用を得るための独立したガス供給手段を設ける必要はない。
さらに、前記コンジットチューブから前記溶接ワイヤの供給源へと漏出する分のシールドガスを回収し、当該回収したシールドガスを前記主供給経路へと戻して、前記溶接トーチに供給することで、シールドガスの漏洩を無くし、シールドガスの無駄を防ぐすことができる。
【発明の効果】
【００１５】
本発明はこのように構成したので、装置の構成の複雑化を招くことなく、コンジットチューブ内に溶接ワイヤから剥がれたメッキが蓄積することを防止して、溶接ワイヤの送給不良を確実に防止することが可能となる。また、シールドガスの無駄な漏出を防ぐことで、低コストかつ高品質の溶接が可能なガスシールド消耗電極式アーク溶接装置を提供することが可能となる。
【発明を実施するための最良の形態】
【００１６】
以下、本発明の実施の形態を添付図面に基づいて説明する。ここで、従来技術と同一部分若しくは相当する部分については同一符号で示し、詳しい説明を省略する。
【００１７】
図１に示すように、本発明の実施の形態に係るガスシールド消耗電極式アーク溶接装置１は、溶接トーチ５に対し直接的にシールドガスを送る主供給経路を構成する、主管14を備えている。また、主管14にはＴ型管15を配し、Ｔ型管15に分岐管16を接続している。そして、分岐管16をコンジットチューブ８へと連通させるための、コンジットチューブアダプタ17を備えている。
これら分岐管16およびコンジットチューブアダプタ17は、コンジットチューブ８を介し、溶接トーチ５にシールドガスを供給する副供給経路18を構成している。
さらに、コンジットチューブアダプタ17から分岐する回収管19と、回収管19を主管14へとつなぐ主管アダプタ20とを備えている。
これら回収管19および主管アダプタ20により、回収経路21を構成している。そして、本発明の実施の形態に係る溶接ワイヤ供給装置は、従来の溶接ワイヤ供給装置11に、シールドガスの主供給経路（主管14）、副供給経路18および回収経路21を統合した構成を有するものである。
【００１８】
図２に示すように、コンジットチューブアダプタ17は、本体17Ａと本体17Ｂの二分割構造を有している。そして、本体17Ａの中心部には溶接ワイヤ７を通すための通路17ａが形成され、通路17ａはさらに段差部17ｂを介して大径部17ｃへとつながっている。また、本体17Ａの側壁には、分岐管16と結合し、大径部17ｃへと貫通する流入ポート17ｄが形成されている。さらに、本体17Ａの先端部には、コンジットチューブ８と結合するための雄ねじ部17ｅが、後端部には本体17Ｂと結合するための雌ねじ部17ｆが形成されている。
一方、本体17Ｂの中心部にも溶接ワイヤ７を通すための通路17ｇが形成され、本体17Ｂの側壁には、回収管19と結合し、通路17ｇへと貫通する回収ポート17ｈが形成されている。そして、本体17Ｂの先端部には、本体17Ａの大径部17ｃの壁面と一定の間隔を空けて、大径部17ｃに挿入される挿入部17ｊが形成され、本体17Ｂの中間部には本体17Ａの雌ねじ部17ｆと結合するための雄ねじ部17ｋが形成されている。さらに、本体17Ｂの後端部には、溶接ワイヤ７の供給源６へとつながるコンジットチューブ８（図１参照）と結合するための雌ねじ部17ｍが形成されている。そして、本体17Ａの段差部17ｂおよび大径部17ｃと、本体17Ｂの挿入部17ｊとで、流量調整オリフィス22を構成している。流量調整オリフィス22におけるシールドガスの流量は、本体17Ａに対する本体17Ｂのねじ込み量を調節することによって、自在に行うことができる。
【００１９】
また、主管アダプタ20も、本体20Ａと本体20Ｂの二分割構造を有している。そして、本体20Ａの中心部には、シールドガスを流通させるための、小径通路20ａと、段差部20ｂと、大径通路20ｃとが形成されている。また、本体20Ａの側壁には、主管14と結合し、大径通路20ｃへと貫通する流入ポート20ｄが形成されている。さらに、本体20Ａの先端部には主管14と結合するための流出ポート20ｅが、後端部には本体20Ｂと結合するための雌ねじ部20ｆが形成されている。
一方、本体20Ｂの中心部にもシールドガスを流通させるための通路20ｇが形成され、本体20Ｂの後端部には、回収管19と結合する回収ポート17ｈが形成されている。また、本体20Ｂの前半部には、本体20Ａの大径通路20ｃの壁面と一定の間隔を空けて、大径通路20ｃに挿入される挿入部20ｊが形成され、本体20Ｂの中間部には本体20Ａの雌ねじ部20ｆと結合するための雄ねじ部20ｋが形成されている。そして、本体20Ａの段差部20ｂおよび大径通路20ｃと、本体20Ｂの挿入部20ｊとで、流量調整オリフィス23を構成している。流量調整オリフィス23におけるシールドガスの流量は、本体20Ａに対する本体20Ｂのねじ込み量を調節することによって、自在に行うことができる。
【００２０】
ここで、上記構成を有する本発明の実施の形態に係る溶接ワイヤ供給装置により得られる作用効果を、図２、図３を参照しながら説明する。
まず、主管14に配したＴ型管15から、分岐管16によって主管14を流れるシールドガスＧ14を分流し、コンジットチューブアダプタ17によって、主管14から分流したシールドガスＧ16をコンジットチューブ８へと供給することが可能となる。すなわち、主供給経路14によって溶接トーチ５に対し直接的にシールドガスＧ14’を供給すると共に、副供給経路18によってコンジットチューブ８からも溶接トーチ５に対しシールドガスＧ8を供給するものである。
そして、コンジットチューブ８内を流れるシールドガスＧ8によって、コンジットチューブ８の壁面から溶接ワイヤ７を浮かし、コンジットチューブ８と溶接ワイヤ７との干渉を軽減させることにより、溶接ワイヤ７からメッキが脱落することを、可能な限り防ぐことができる。なお、発明者らの実験によれば、図３に示すように、コンジットチューブ８内の溶接ワイヤ７は、コンジットチューブ８に供給されたガスＧによってコンジットチューブ８の全長に渡って浮上することが、マイクロメータ22等の計測器を用いた計測により確認されている。一例として、発明者らは、コンジットチューブ８内へとガスを供給しない場合の、溶接ワイヤ７の送りの抵抗が５５０グラムであったときに、コンジットチューブ８内へとガスを供給することで、溶接ワイヤの送りの抵抗を３００グラムまで軽減させることができたことを確認している。
また、溶接ワイヤ７から脱落したメッキについても、コンジットチューブ８内を流れるシールドガスＧ8により、常時、コンジットチューブ８から溶接トーチ５を介して外部へと排出することが可能であることから、コンジットチューブ８内のメッキの詰りを回避することができる。しかも、コンジットチューブ８内を流れるガスＧ8は、元々、溶接トーチ５に供給されるシールドガスであり、上記作用を得るための独立したガス供給手段を必要とするものではない。
【００２１】
また、コンジットチューブ８内を流れるシールドガスは、溶接トーチ５から吐出することによって溶接に供することとなるので、副供給経路18へと分流されたシールドガスに無駄は生じない。
さらに、コンジットチューブアダプタ17から分岐する回収管19によって、コンジットチューブ８を介して溶接ワイヤ７の供給源側へと漏出する分のシールドガスＧ19を回収し、主管アダプタ20によって、コンジットチューブ８から回収した漏出分のシールドガスＧ19を主管14に戻し、溶接トーチ５へと無駄なく供給することができる。このように、副供給経路18に供給されるシールドガスのうち、漏出する分のシールドガスＧ19を、回収経路21によって主供給経路14に戻すことで、シールドガスの漏洩を無くし、シールドガスの無駄を防ぐことができる。
すなわち、本発明の実施の形態に係る溶接ワイヤ供給装置は、従来、シールドガスの全流量（Ｇ14）を溶接トーチ５に直接的に供給していた所、全流量の一部（Ｇ16）をコンジットチューブ８にバイパスさせて、コンジットチューブ８を介して溶接トーチ５に供給する（Ｇ8）。これと共に、バイパスさせたシールドガス（Ｇ16）のうち漏出分（Ｇ19）を、溶接トーチ５へと直接的に供給する分のシールドガス（Ｇ14’）に還流させることで、溶接ワイヤの送給不良の防止と、コンジットガスの無駄の排除とを両立させるものである。
【００２２】
また、本発明の実施の形態では、図２に示すように、コンジットチューブアダプタ17を本体17Ａ、17Ｂからなる二分割構造とし、両者をねじ結合すると共に、両者の結合部分に流量調整オリフィス22を構成することで、コンジットチューブ８へと分流させるシールドガスＧ8の流量を自在に調節することを可能としている。
同様に、主管アダプタ20についても本体20Ａ、20Ｂからなる二分割構造とし、両者をねじ結合すると共に、両者の結合部分に流量調整オリフィス23を構成することで、主管14を流れるシールドガスＧ14’の流量を自在に調節することを可能としている。
【００２３】
さらに、主管アダプタ20の本体20Ａの側壁には、主管14と結合し、大径通路20ｃへと貫通する流入ポート20ｄが形成され、流入ポート20ｄから主管アダプタ20へと流入するシールドガスが流量調整オリフィス23を通過する際に、回収管19へと負圧を作用させる管路構造を有している。したがって、主管14を流れるシールドガスＧ14’の流れを利用し、コンジットチューブ８から回収した洩れ分のシールドガスＧ19を主管に戻すことが可能となり、洩れ分のシールドガスＧ19の回収に、ポンプ等の吸引手段を必要としないものである。
【００２４】
以上より、本発明の実施の形態によれば、装置の構成の複雑化を招くことなく、コンジットチューブ８内に溶接ワイヤ7から剥がれたメッキが蓄積することを防止して、溶接ワイヤ7の送給不良を確実に防止すると共に、シールドガスの無駄な漏出を防ぐことで、低コストかつ高品質の溶接が可能なガスシールド消耗電極式アーク溶接装置を提供することが可能となる。また、本発明の実施の形態に係る溶接ワイヤ供給装置は、コンジットチューブを使用している全ての溶接機に適用させることが可能であり、溶接ロボット２の多関節アーム３の動作により溶接トーチ５の姿勢を自在に変化させても、上記所定の作用効果を得ることが可能である。
さらに、図１、図２の例では、主管アダプタ20をＴ型管15の下流に配置しているが、これを、Ｔ型管15の上流に配置しても、上記と同様の作用効果を得ることができる。
【図面の簡単な説明】
【００２５】
【図１】本発明の実施の形態に係るガスシールド消耗電極式アーク溶接装置の模式図である。
【図２】図１に示すガスシールド消耗電極式アーク溶接装置の、溶接ワイヤ供給装置の模式図である。
【図３】コンジットチューブ内の溶接ワイヤが、コンジットチューブに供給されたガスによってコンジットチューブの全長に渡り浮上することを示す模式図である。
【図４】従来のガスシールド消耗電極式アーク溶接装置の模式図である。
【符号の説明】
【００２６】
１：ガスシールド消耗電極式アーク溶接装置、２：溶接ロボット、５：溶接トーチ、６：溶接ワイヤの供給源、７：溶接ワイヤ、８：コンジットチューブ、11：溶接ワイヤ供給装置、14：主管、16：分岐管、17：コンジットチューブアダプタ、18：副供給経路、19：回収管、20：主管アダプタ、21：回収経路、22、23：オリフィス
【図１】
2005186087.tif 000003
【図２】
2005186087.tif 000004
【図３】
2005186087.tif 000005
【図４】
2005186087.tif 000006